(57)【要約】【課題】  貯水槽内に貯溜した水を効率的に温度調整する。【解決手段】  地中に埋め込まれる貯水槽１０と、貯水槽１０の外壁を貫通する第一の伝熱管２０とを備え、貯水槽１０に貯溜する水を汲み上げて利用するようにした貯水利用設備において、第一の伝熱管２０は、一端側に貯水槽１０内に連通する槽内側通水部２１を有するとともに、貯水槽外に延設された他端側に、地中に対し密閉された地熱吸収管部２２を有する。【選択図】  図１
2020084543.tif 000002
【特許請求の範囲】
【請求項１】
地中に埋め込まれる貯水槽と、前記貯水槽の外壁を貫通する伝熱管とを備え、前記貯水槽に貯溜する水を汲み上げて利用するようにした貯水利用設備において、
前記伝熱管は、一端側に前記貯水槽内に連通する槽内側通水部を有するとともに、前記貯水槽外に延設された他端側に、地中に対し密閉された地熱吸収管部を有することを特徴とする貯水利用設備。
【請求項２】
前記伝熱管は、前記貯水槽の底壁部を貫通して鉛直状に設けられていることを特徴とする請求項１記載の貯水利用設備。
【請求項３】
前記地熱吸収管部の外周部には、らせん状にネジ部が設けられていることを特徴とする請求項１又は２記載の貯水利用設備。
【請求項４】
地表の水を流し込む第一の集水槽と、第一の集水槽と仕切られて並設された第二の集水槽と、第一の集水槽内の上層水を第二の集水槽内へ導く通水路とを備え、第二の集水槽内の水を前記貯水槽内へ導くようにしたことを特徴とする請求項１〜３何れか１項記載の貯水利用設備。
【請求項５】
前記伝熱管内の水を強制的に攪拌させる攪拌装置を具備したことを特徴とする請求項１〜４何れか１項記載の貯水利用設備。
【請求項６】
貯水槽外の水を貯水槽内へ導く還管が設けられ、
前記還管の出口を、前記伝熱管内に配置したことを特徴とする請求項１〜５何れか１項記載の貯水利用設備。
【請求項７】
前記貯水槽から汲み上げる水を太陽熱吸熱管に流通させ前記貯水槽へ戻す補助吸熱設備を備えたことを特徴とする請求項１〜６何れか１項記載の貯水利用設備。
【発明の詳細な説明】
【技術分野】
【０００１】
本発明は、貯水槽の水を地下水等の地熱により温度調整して、例えば融雪や冷凍空調設備等に利用できるようにした貯水利用設備に関するものである。
【背景技術】
【０００２】
従来、消雪を行う場合、道路や駐車場に降雪する雪を積もらせた後では、路面や路盤に冷温が蓄積されるため、その消雪のためのエネルギーが多くなってしまう。そこで、雪が積もる前に、ロードヒーティング装置により路面を昇温したり、路面に融雪のための散水が行われたりする。
また、電気ヒータを用いたロードヒーティング装置では、道路や路盤の温度を上げて間接的に雪を溶かすようにしているため、樹幹状に配設される熱源媒体の温度が１５°Ｃ以上必要であり、電気消費量が大きくなってしまう。
これに対し、水を積雪に直接散水して溶かす場合には、水温は３〜４°Ｃ程度で充分である。但し、その水源に、地下水や、湖水・河川水・海水を、そのまま利用するには、法的制限等で実施が困難である。
【０００３】
そこで、例えば特許文献１に記載される発明では、地下に埋設された貯水槽に融雪水や雨水を貯溜し、この水を、地下水等の地熱により温度調整して利用するようにしている。
【先行技術文献】
【特許文献】
【０００４】
【特許文献１】特開２０１１−３８３７６号公報
【発明の概要】
【発明が解決しようとする課題】
【０００５】
しかしながら、上記従来技術では、二槽式の貯水槽を用いるため構造が複雑になる上、地熱を金属製の集熱材に熱伝導させるようにしており、その集熱効果及び伝熱効果に改善の余地があった。
【課題を解決するための手段】
【０００６】
このような課題に鑑みて、本発明は、以下の構成を具備するものである。
地中に埋め込まれる貯水槽と、前記貯水槽の外壁を貫通する伝熱管とを備え、前記貯水槽に貯溜する水を汲み上げて利用するようにした貯水利用設備において、前記伝熱管は、一端側に前記貯水槽内に連通する槽内側通水部を有するとともに、前記貯水槽外に延設された他端側に、地中に対し密閉された地熱吸収管部を有することを特徴とする貯水利用設備。
【発明の効果】
【０００７】
本発明は、以上説明したように構成されているので、簡素な構造でもって貯水槽内に貯溜した水を効率的に温度調整することができる。
【図面の簡単な説明】
【０００８】
【図１】本発明に係る貯水利用設備の第一の実施態様について、概略構造を示す縦断面図である。
【図２】本発明に係る貯水利用設備の第二の実施態様について、概略構造を示す断面斜視である。
【図３】本発明に係る貯水利用設備の第三の実施態様について、概略構造を示す縦断面図である。
【図４】図３の貯水利用設備を左方側から視た図であり、要部を縦断面図で示している。
【発明を実施するための形態】
【０００９】
本実施の形態では、以下の特徴を開示している。
第１の特徴は、地中に埋め込まれる貯水槽と、前記貯水槽の外壁を貫通する伝熱管とを備え、前記貯水槽に貯溜する水を汲み上げて利用するようにした貯水利用設備において、前記伝熱管は、一端側に前記貯水槽内に連通する槽内側通水部を有するとともに、前記貯水槽外に延設された他端側に、地中に対し密閉された地熱吸収管部を有する（図１参照）。
ここで、前記「外壁」には、前記貯水槽の側方側に位置する側壁部や、前記貯水槽の底側に位置する底壁部等を含む。
上記構成によれば、伝熱管内には、槽内側通水部を介して貯水槽内の水が流れ込む。この状態で、地熱吸収管部に地中の熱が伝達すると、その熱は管壁を介して地熱吸収管部の内部の水に伝達する。そして、水は、温度差に起因する対流現象等により、伝熱管内から貯水槽内にわたる範囲を流動する。よって、貯水槽内の水が、貯水槽外の地下水等による地熱によって温度調整される。
【００１０】
第２の特徴として、地熱を効果的に吸収するために、前記伝熱管は、前記貯水槽の底壁部を貫通して鉛直状に設けられている（図１〜図３参照）。
【００１１】
第３の特徴として、地熱吸収効率及び施工性を向上するために、前記地熱吸収管部の外周部には、らせん状にネジ部が設けられている（図２参照）。
【００１２】
第４の特徴は、地上水を効果的に集水するために、地表の水を流し込む第一の集水槽と、第一の集水槽と仕切られて並設された第二の集水槽と、第一の集水槽内の上層水を第二の集水槽内へ導く通水路とを備え、第二の集水槽内の水を前記貯水槽内へ導くようにした（図２及び図３参照）。
【００１３】
第５の特徴は、貯溜水の温度をムラなく均一にするために、前記伝熱管内の水を強制的に攪拌させる攪拌装置を具備した（図１参照）。
【００１４】
第６の特徴は、伝熱管内の対流を促進するために、貯水槽外の水を貯水槽内へ導く還管が設けられ、前記還管の出口を、前記伝熱管内に配置した（図３及び図４参照）。
【００１５】
第７の特徴は、補助的に貯溜水に熱を伝達するために、前記貯水槽から汲み上げる水を太陽熱吸熱管に流通させ前記貯水槽へ戻す補助吸熱設備を備えた（図３及び図４参照）。
【００１６】
＜第一の実施態様＞
次に、上記特徴を有する具体的な実施態様について、図面に基づいて詳細に説明する。
この貯水利用設備１は、貯水槽１０と、貯水槽１０の底壁部１１及び側壁部１２を貫通する複数の第一の伝熱管２０及び第二の伝熱管３０とを備え、帯水層Ａ１，Ａ２を有する地中に埋め込まれて、貯水槽１０内に貯溜する水を汲み上げ、融雪や冷凍空調等に利用される。
【００１７】
貯水槽１０は、上方を開口した直方体箱状の槽本体１０ａと、この槽本体１０ａの開口を塞ぐ蓋部１０ｂとを有する。
【００１８】
槽本体１０ａは、平面視矩形状の底壁部１１と、この底壁部１１の四隅側から上方へ立ち上がった側壁部１２とから一体に構成され、底壁部１１に複数の第一の伝熱管２０を貫通し、側壁部１２には第二の伝熱管３０を貫通している。
そして、この槽本体１０ａは、図１に例示するように、伏流水が浸透した比較的浅い帯水層Ａ１に側壁部１２及び第二の伝熱管３０を接触させ、地下水が浸透した比較的深い帯水層Ａ２に第一の伝熱管２０を接触させて、地中に埋め込まれる。
【００１９】
貯水槽１０には、例えば蓋部１０ｂを貫通するようにして、雨水及び融雪水等を補給する補水管１０ｃや、図示しないポンプにより汲み上げた水を利用機器へ移送する往管１０ｄ、利用機器側で熱交換した水を槽本体１０ａ内へ戻す還管１０ｅ、槽本体１０ａ内でオーバーフローした水を外部へ排水する排水管（図示せず）等が、蓋部１０ｂ又は側壁部１２を貫通するようにして配設される。
【００２０】
第一の伝熱管２０は、一端側に槽本体１０ａ内に連通する槽内側通水部２１を有するとともに、槽本体１０ａ外に延設された他端側に地熱吸収管部２２を有する。この第一の伝熱管２０は、図示例によれば貯水槽１０の底壁部１１を貫通する鉛直状に設けられ、水平方向へ間隔を置いて複数配設される。
各第一の伝熱管２０は、上端側で開口した槽内側通水部２１を槽本体１０ａ内の水中に配置し、下端側の地熱吸収管部２２を帯水層Ａ２内に配置している。
この第一の伝熱管２０は、熱伝導率の比較的高い金属材料によって形成される。
【００２１】
地熱吸収管部２２は、底壁部１１よりも下方へ延設され、地中に対し密閉されるように、厚み方向の貫通部（孔やスリット等）のない有底筒状に形成される。この地熱吸収管部２２の外周面は、帯水層Ａ２の地下水に接する。
【００２２】
また、本実施の形態の好ましい一例によれば、第一の伝熱管２０内には、該伝熱管内の水を強制的に流動させる攪拌装置２３が設けられる。
すなわち、第一の伝熱管２０内の水は、上下の温度差等により自然対流するが、この対流を促進するようにて、攪拌装置２３が設けられる。
【００２３】
攪拌装置２３の好ましい一例としては、気泡ポンプを用いればよい。この気泡ポンプは、図示しないエアーポンプ及び配管等により供給されるエアーを、地熱吸収管部２２内の底部側で噴出し、地熱吸収管部２２内の水中に多数の気泡を発生されせる。したがって、地熱吸収管部２２内の底側の水は、気泡の浮力によって上方へ移送され、地熱吸収管部２２と槽本体１０ａにわたって水の対流が発生する。この対流によって、地熱吸収管部２２及び槽本体１０ａ内の水が攪拌される。
【００２４】
攪拌装置２３の他例としては、一方側から吸い込んだ水を他方側へ吐出する軸流式の水中ポンプや、貯水槽１０内又は貯水槽１０外の水を地熱吸収管部２２内へ勢いよく噴出するようにした装置、水中で羽を回転させるようにした装置等、適宜構造のものを用いることが可能である。
【００２５】
また、第二の伝熱管３０は、貯水槽１０全体を略水平方向へ貫通する連続管状に形成され、その一端側と他端側にそれぞれ地中側通水部３１を有するとともに、これら一端側と他端側の地中側通水部３１の間を槽内側放熱管部３２にしている。
この第二の伝熱管３０は、図示例によれば、上下方向に間隔を置いて複数設けられ、必要に応じて、水平方向（図１の奥行方向）にも複数設けられる。
この第二の伝熱管３０は、熱伝導率の比較的高い金属材料によって形成される。
【００２６】
各地中側通水部３１は、貯水槽１０の側壁部１２から突出して、地中の帯水層Ａ１内に延設される。この地中側通水部３１の端部および／または周壁部には、帯水層Ａ１の地下水（伏流水）を通過可能な開口が設けられ、この開口には、礫（小石）等の侵入を阻みながら地下水を流通するように、例えば、スリットや小孔、繊維状物等からなるストレーナ（図示せず）が設けられる。
【００２７】
槽内側放熱管部３２は、槽本体１０ａの側壁部１２，１２間にわたる略水平状に延設され、周壁を貫通部のない筒状に形成している。この槽内側放熱管部３２の外周面は、貯水槽１０内の貯溜水に接する。
【００２８】
次に、上記構成の貯水利用設備１について、その特徴的な作用効果を詳細に説明する。
貯水槽１０内には、補水管１０ｃによって、例えば雨水や融雪水等の外部の水が供給される。この水は、複数の第二の伝熱管３０及び第一の伝熱管２０を水没させるように、貯水槽１０内に貯溜される。そして、この貯溜水は、往管１０ｄ及び還管１０ｅ等によって利用側設備を循環する。また、貯水槽１０内でオーバーフローした水は、図示しない排水管により外部へ排出される。
【００２９】
第一の伝熱管２０は、地熱吸収管部２２の外面を帯水層Ａ２に接触させて、帯水層Ａ２の地下水熱を吸収する。そして、この熱は、第一の伝熱管２０内の水に伝達する。第一の伝熱管２０内の水には、上下の温度差および攪拌装置２３等の作用によって対流が生じ、この対流により、槽本体１０ａ内から第一の伝熱管２０内への水の流れ、および第一の伝熱管２０内から槽本体１０ａ内への水の流れが形成される。
【００３０】
一方、第二の伝熱管３０は、槽内側放熱管部３２を貯水槽１０内の水に接触させるとともに、両側の地中側通水部３１をそれぞれ帯水層Ａ１に接触させる。
地中側通水部３１には、図示しないストレーナを介して地下水が侵入し、この水は槽内側放熱管部３２内へ達する。そして、この水の熱は、槽内側放熱管部３２の管壁を介して貯水槽１０内の貯溜水に伝達される。
【００３１】
よって、貯水槽１０内の貯溜水と帯水層Ａ１，Ａ２の地下水の間の熱交換と、貯溜水の対流及び攪拌により、貯水槽１０内の水をムラなく略均一な温度に調整することができる。そして、貯水槽１０内の安定した温度の貯溜水を、地上の利用側設備に供給することができる。
しかも、貯水槽１０内の貯溜水は、地下水に対し密閉されているため、この貯溜水に、地下水成分（例えば、鉄やマンガン等）が混入するのを防ぐことができ、ひいては、地下水成分によって各機器に目詰まりや故障を生じるのを防ぐことができる。
【００３２】
＜第二の実施態様＞
次に、本発明に係る他の実施態様について説明する。なお、以下に説明する実施態様において、上記貯水利用設備１と略同様に作用する部分は、同一の符号を付けて重複する詳細説明を省略する。
【００３３】
図２に示す貯水利用設備２は、上記貯水利用設備１に対し、第一の伝熱管２０を第一の伝熱管４０に置換し、第二の伝熱管３０を省き、地上に利用側設備５０を構成したものである。
【００３４】
第一の伝熱管４０は、熱伝導率の比較的高い金属材料によって鉛直方向へわたる長尺管状に形成され、水平方向に間隔を置いて複数設けられる。
各第一の伝熱管４０は、底壁部１１に貫通しており、底壁部１１よりも上側に槽本体１０ａ内に連通する槽内側通水部４１を有するとともに、同底壁部１１よりも下側に地熱吸収管部４２を有する。
【００３５】
第一の伝熱管４０における底壁部１１よりも上側の部分は、地表に至るまで筒状に延設され、その上端の開口部が、着脱可能な円盤状の蓋部材４３により閉鎖されている。
槽内側通水部４１は、貯水槽１０内で水没する高さ位置にあり、第一の伝熱管４０周壁を貫通するスリット状に形成される。この槽内側通水部４１の他例としては、多数の孔や、その他の形状の貫通部とすることが可能である。
【００３６】
地熱吸収管部４２は、地中に対し密閉されるように、壁部に厚み方向の貫通部のない略有底筒状に形成され、少なくともその一部分を帯水層Ａ２内に配置している。
この地熱吸収管部４２の外周部には、らせん雄ネジ状にネジ部４２ａが設けられている。このネジ部４２ａは、第一の伝熱管４０の下端側を、貯水槽１０の底壁部１１に挿通して地中にドリル状に回転させながら埋設するのに用いられる。さらに、このネジ部４２ａは、地熱吸収管部４２の外表面の面積を広く確保して、熱伝達効率を向上する。
【００３７】
利用側設備５０は、貯水槽１０から汲み上げた水を降雪や積雪に散水して、雪を溶かす融雪設備を構成している。
この利用側設備５０は、貯水槽１０の貯水を汲み上げるポンプ５１ａ及び往管５１ｂと、往管５１ｂから分岐された配管の下流側に接続された複数の散水装置５２ａと、雪の降雪状態を感知する降雪センサー５２ｂと、降雪センサー５２ｂの感知信号に応じてポンプ５１ａを制御する制御盤５２ｃと、地表の水を流し込む第一の集水槽５３ａと、第一の集水槽５３ａと仕切られて設けられた第二の集水槽５３ｂと、第一の集水槽５３ａ内の上層水を第二の集水槽５３ｂ内へ導く通水路５３ｃと、第二の集水槽５３ｂ内の水を貯水槽１０内へ導く還管５４と、貯水槽１０内でオーバーフローする水を排水する排水管５５ａ及び排水槽５５ｂとを具備する。
【００３８】
ポンプ５１ａは、貯水槽１０内に水没するようにした水中ポンプである。
往管５１ｂは、ポンプ５１ａの吐出口から上方へ延設され、貯水槽１０外側の地表近傍で多方向へ分岐される。これら分岐された配管には、それぞれ散水装置５２ａが接続される。
【００３９】
散水装置５２ａには、例えば周知のスプリンクラーを用いることができる。
降雪センサー５２ｂは、赤外線により降雪を検知して、その検知信号を出力するように構成される。この降雪センサーの他例として水分検知式のものや、その他の方式のものを用いることも可能である。
制御盤５２ｃは、降雪センサー５２ｂの検知信号に応じて、ポンプ５１ａをＯＮ／ＯＦＦ制御する。すなわち、降雪センサー５２ｂによって降雪が感知されると、制御盤５２ｃがポンプ５１ａを駆動し、ポンプ５１ａによって汲み上げられた水が複数の散水装置５２ａから吐出する。
【００４０】
第一の集水槽５３ａは、傾斜面によって流れる水の下流側に位置するように配置され、図示例によれば、道路面の幅方向の両側にそれぞれ溝状に設けられる。
第二の集水槽５３ｂは、第一の集水槽５３ａに並設された溝である（図２参照）。
【００４１】
これら第一の集水槽５３ａと第二の集水槽５３ｂの間には、第一の集水槽５３ａ側の上層水を第二の集水槽５３ｂに流すように通水路５３ｃが設けられる。
そして、第二の集水槽５３ｂには、還管５４の吸込口が接続される。この還管５４は、第二の集水槽５３ｂから第一の伝熱管４０へ向かって下り傾斜状に設けられる。還管５４の下流側部分は、第一の伝熱管４０内に挿通され、その下端側の出口５４ａを地熱吸収管部４２内に配置している。
【００４２】
排水管５５ａは、その吸入口を貯水槽１０内に配置するとともに、貯水槽１０の側壁部１２を貫通して貯水槽１０外へ下り傾斜状に延設され、その下流側の吐出口が排水槽５５ｂ内に位置する。排水槽５５ｂは、図示例によれば溝状に形成され、貯溜する排水を図示しない排水設備へ流す。
【００４３】
次に、上記構成の貯水利用設備２について、その特徴的な作用効果を詳細に説明する。
降雪が降雪センサー５２ｂによって感知されると、制御盤５２ｃからの指令によりポンプ５１ａが駆動し、貯水槽１０内の水が汲み上げられて往管５１ｂを流れる。そして、この水は、往管５１ｂから分岐された配管の下流側で、それぞれ、散水装置５２ａによって路面等に散水され、雪を溶かす。
【００４４】
前記散水による残水や、融雪水等は、路面の傾斜を流れて第一の集水槽５３ａへ侵入する。第一の集水槽５３ａ内では、泥や異物等が底部に溜まり、その上層の水が、通水路５３ｃによって隣接する第二の集水槽５３ｂへ流される。
そして、第二の集水槽５３ｂの水は、還管５４によって第一の伝熱管４０内へ導かれ、第一の伝熱管４０下端側の地熱吸収管部４２内にて、出口５４ａから噴出する。
【００４５】
したがって、還管５４の出口５４ａからの噴出水に押されるようにして、第一の伝熱管４０内の水が移動し、第一の伝熱管４０及び貯水槽１０内の貯水が攪拌される。
【００４６】
一方、地熱吸収管部４２の外面及びネジ部４２ａには、帯水層Ａ２の熱が伝達し、この熱は、さらに地熱吸収管部４２内の水へ伝達する
また、帯水層Ａ１の熱は、貯水槽１０の側壁部１２を介して、貯水槽１０内の貯溜水に伝達する。
【００４７】
よって、貯水槽１０内の貯溜水と帯水層Ａ１，Ａ２の地下水との間での熱交換や、第一の伝熱管４０及び貯水槽１０内の水の対流及び攪拌により、貯溜水をムラなく略均一な温度に調整することができる。
そして、安定した温度（例えば、３〜４°Ｃ程度）の貯溜水を、地上の利用側設備５０を介して路面に散布し、路面の積雪や降雪を効果的に融かすことができる。
【００４８】
＜第三の実施態様＞
図３及び図４に示す貯水利用設備３は、底壁部１１に第一の伝熱管２０’を有する貯水槽１０’と、この貯水槽１０’から汲み上げられる水を、太陽熱吸収管６１に流通させて貯水槽１０’へ戻す補助吸熱設備６０（太陽熱吸熱設備）とを備える。
【００４９】
貯水槽１０’は、上記貯水槽１０の槽本体１０ａを槽本体１０ａ’に置換したものである。
槽本体１０ａ’は、下部側が地中に埋め込まれ、上部側が地上に露出した建屋状に構成される。この槽本体１０ａ’の上端部は、傾斜状に形成され、補助吸熱設備６０が装着される。
【００５０】
槽本体１０ａ’内には、ポンプ５１ａが設けられ、このポンプ５１ａの吐出口には、往管５１ｂが接続される。往管５１ｂの下流側は、槽本体１０ａ’外に延設され、複数に分岐されるとともにその分岐された配管の下流側にそれぞれ散水装置５２ａが接続される。
ポンプ５１ａ及び散水装置５２ａは、上記貯水利用設備２と略同様に外部の降雪センサー及び制御盤等（図示せず）により制御され、降雪状態に応じて散水を行う。
【００５１】
また、槽本体１０ａ’には、貯溜水の水面よりも下側に吐出口５６ｃを配置するようにして還管５６ａが挿通されている。この還管５６の上流側は、第二の集水槽５３ｂ内の水を汲み上げるように構成される。
すなわち、槽本体１０ａ’の外部には、上記貯水利用設備２と略同様にして、第一の集水槽５３ａ、第二の集水槽５３ｂおよび通水路５３ｃが設けられる。そして、第二の集水槽５３ｂ内にはポンプ５６ｂが設けられ、このポンプ５６ｂの吐出口が還管５６ａの入口に接続されている。
【００５２】
第一の伝熱管２０’は、上記第一の伝熱管２０（図１参照）から気泡ポンプとしての攪拌装置２３を省いたものであり、貯水槽１０’の底壁部１１に、間隔を置いて複数設けられる。
【００５３】
また、補助吸熱設備６０は、槽本体１０ａ’の上端部に傾斜屋根状に設けられる。この補助吸熱設備６０は、蛇行状の太陽熱吸収管６１を、太陽光に晒すように蛇行状に配設している。
【００５４】
太陽熱吸収管６１の吸入部には、貯水槽１０’内のポンプ６３により汲み上げられた水を導入するように往管６２が接続される（図４参照）。ポンプ６３は、貯水槽１０’内の貯溜水の温度に応じて適宜に制御される。
すなわち、貯溜水の温度が、予め設定された閾値よりも低い場合には、ポンプ６３がＯＮにされ、補助吸熱設備６０による温水が貯水槽１０’内へ供給される。また、貯溜水の温度が、前記閾値以上の場合は、ポンプ６３がＯＦＦにされて、温水の供給が停止する。
【００５５】
また、太陽熱吸収管６１の吐出口には、還管５４（図３参照）が接続される。この還管５４は、上記貯水利用設備２（図２参照）と略同様に第一の伝熱管２０’内へ導かれ、その出口５４ａを地熱吸収管部２２内に配置している。
【００５６】
なお、図３中、符号５３ｄは、第二の集水槽５３ｂ内でオーバーフローする水を外部へ排水する排水管、符号５７は、貯水槽１０’内でオーバーフローする水を外部へ排水する排水管である。
【００５７】
よって、上記構成の貯水利用設備３によれば、上記貯水利用設備１，２と略同様にして、貯水槽１０’内の貯溜水と、帯水層Ａ１の地下水との熱交換を行い、これによって貯水槽１０’内の貯溜水を好適な温度に維持することができる。
しかも、外気温が低すぎて、貯水槽１０’内の水温が上昇し難い場合等には、ポンプ５１ａを運転し、補助吸熱設備６０を介して太陽熱により暖められた水を、貯水槽１０’内へ供給することができる。
また、貯水槽１０’内の水は、補助吸熱設備６０から第一の伝熱管２０’内へわたる還管５４の噴出流や、第二の集水槽５３ｂから槽本体１０ａ’内へわたる還管５６ａの噴出流等により攪拌され、ムラの少ない略均一な水温に保持される。
【００５８】
なお、上記実施の形態によれば、貯水利用設備１，２，３を融雪設備としたが、本発明に係る貯水利用設備は、貯水槽の水を汲み上げて利用する他の設備や装置とすることが可能であり、例えば、貯水槽の水を汲み上げて冷凍空調設備（エアコンや、チラー、コールドチェーン機器等を含む）の冷却水として利用することも可能である。
【００５９】
本発明は上述した実施態様に限定されず、本発明の要旨を変更しない範囲で適宜変更可能である。
【符号の説明】
【００６０】
１，２，３：貯水利用設備
１０：貯水槽
１０ａ：槽本体
１０ｄ，５１ｂ，６２：往管
１０ｅ，５４，５６ａ：還管
１１：底壁部
１２：側壁部
２０，４０：第一の伝熱管
２１，４１：槽内側通水部
２２，４２：地熱吸収管部
２３：攪拌装置
３０：第二の伝熱管
３１：地中側通水部
３２：槽内側放熱管部
４２ａ：ネジ部
５０：利用側設備
５２ａ：散水装置
５３ａ：第一の集水槽
５３ｂ：第二の集水槽
５３ｃ：通水路
６０：補助吸熱設備（太陽熱吸収設備）
６１：太陽熱吸収管
Ａ１：帯水層
Ａ２：帯水層
【図１】
2020084543.tif 000003
【図２】
2020084543.tif 000004
【図３】
2020084543.tif 000005
【図４】
2020084543.tif 000006